(57)【要約】【課題】外開き構造の扉に比べ設置スペースが小さく、扉開放時の外気の影響による扉部品の破損が起こらず、且つ扉の開閉が容易な外箱を有する発電装置を得る。【解決手段】外箱２の１つの側面２ａに、点検用扉である内扉３と外扉５を設けた。内扉３は、スライドが容易なローラー機構を備え、外扉５により外部と遮断されているため、ローラー機構への異物の噛み込みや外部環境による劣化が殆ど無い。内扉３に吸音材を貼ることにより、発電装置１の扉部の防音性能が確保される。また、外扉５をスライドさせる際に、電磁反発力により外扉５を浮上させることにより、外扉５のスライドが容易となり、扉開閉の労力が軽減される。【選択図】図１
2015206310.tif 000002
【特許請求の範囲】
【請求項１】
外箱の内部にエンジン、発電機、および制御盤が設置され、前記エンジンにより前記発電機を駆動して電力を発生する発電装置であって、
前記外箱の側面に設けられ横方向にスライド可能な内扉と、前記内扉の外側に設けられ外扉用下レール部に沿って横方向にスライド可能な外扉とを備え、
前記外扉の下部に永久磁石が設けられると共に前記外扉用下レール部に電磁装置が設けられ、前記外扉をスライドさせる際に、前記電磁装置により発生する磁力と前記永久磁石の磁力の反発力により前記外扉を浮上させることを特徴とする発電装置。
【請求項２】
前記電磁装置の電源として、前記エンジンの始動用蓄電池を用いたことを特徴とする請求項１記載の発電装置。
【請求項３】
前記電磁装置の電源スイッチは、前記外箱の前記側面に設置された外部スイッチにより開閉を制御されることを特徴とする請求項１または請求項２に記載の発電装置。
【請求項４】
前記外扉用下レール部と前記外扉の下部に、フッ素コーティングを施したことを特徴とする請求項１から請求項３のいずれか一項に記載の発電装置。
【発明の詳細な説明】
【技術分野】
【０００１】
本発明は、発電装置に関し、特に発電装置外箱に設けられる点検用扉に関する。
【背景技術】
【０００２】
従来、発電装置の外箱の扉構造としては、特許文献１に示されるように、外箱の側面と扉とをヒンジで連結し、保守点検時等にはヒンジを支点に扉を外側に開放するものが一般的であった。また、特許文献２には、外開き扉の開閉スペースを小さくするための機構として、一端を本体ケース内側、他端を扉内側に回転自在に取り付けられた２本の支持アームを備え、扉を上下方向の円弧状にスライドさせるようにしたエンジン駆動型作業機用扉の開閉機構が提示されている。
【０００３】
さらに、外開き構造以外の扉の例として、特許文献３には、３枚のスライド式扉を設け、そのうちの２枚の扉は互いに隔離するように横方向にスライドし、残りの扉は前記２枚の扉のいずれかに重なり合うように横方向にスライドするスライド式扉付配電盤が提示されている。この例では、スライド式扉を３枚にすることで、２枚の場合よりも配電盤の盤幅を狭くすることができる。
【先行技術文献】
【特許文献】
【０００４】
【特許文献１】特開２００６−４６２３７号公報
【特許文献２】実開平４−１０４１３６号公報
【特許文献３】実開平４−２５４０６号公報
【発明の概要】
【発明が解決しようとする課題】
【０００５】
特許文献１に示されるような外開き構造の扉の場合、外開き時の開放寸法を含む広い設置スペースが必要となる問題があった。また、保守点検時には扉を外側に開いた状態であるため、外気の流れを扉に受け、ヒンジや扉の過開き防止ストッパーが破損することがあった。特許文献２に提示された開閉機構では、設置スペースを小さくすることはできるが、外開きであるため、扉が外力を受ける点では特許文献１と同じである。
【０００６】
また、特許文献３のようなスライド式扉では、外開き時の解放寸法を考慮する必要がなく、扉開放時に受ける外気の影響によるヒンジやストッパーの破損の問題は起こらない。しかし、発電装置の場合、外箱の材質は主に鋼板が用いられること、エンジンや発電機の騒音を減少させるため外箱に吸音材を貼り付けることから、扉の重量が大きくなる。このため、特許文献３のようなスライド式扉では、扉を横方向にスライドさせるのに労力を要するという問題があった。
【０００７】
本発明は、上記のような課題を解決するためになされたものであり、外開き構造の扉に比べ設置スペースが小さく、扉開放時の外気の影響による扉部品の破損が起こらず、且つ扉の開閉が容易な外箱を有する発電装置を得ることを目的とする。
【課題を解決するための手段】
【０００８】
本発明に係る発電装置は、外箱の内部にエンジン、発電機、および制御盤が設置され、エンジンにより発電機を駆動して電力を発生する発電装置であって、外箱の側面に設けられ横方向にスライド可能な内扉と、内扉の外側に設けられ外扉用下レール部に沿って横方向にスライド可能な外扉とを備え、外扉の下部に永久磁石が設けられると共に外扉用下レール部に電磁装置が設けられ、外扉をスライドさせる際に、電磁装置により発生する磁力と永久磁石の磁力の反発力により外扉を浮上させるようにしたものである。
【発明の効果】
【０００９】
本発明によれば、横方向にスライドする内扉と外扉を備え、外扉をスライドさせる際に、電磁装置により発生する磁力と永久磁石の磁力の反発力により外扉を浮上させるようにしたので、従来の外開き扉に比べて設置スペースが小さく、扉開放時の外気の影響による扉部品の破損が起こらず、且つ扉の開閉が容易な外箱を有する発電装置を得ることができる。
【図面の簡単な説明】
【００１０】
【図１】本発明の実施の形態１に係る発電装置の外箱を示す平面図および側面図である。
【図２】本発明の実施の形態１に係る発電装置における外扉の下部の機構を説明する図である。
【図３】本発明の実施の形態１に係る発電装置における電磁装置の動作を説明する図である。
【図４】従来の発電装置の外箱を示す平面図および側面図である。
【発明を実施するための形態】
【００１１】
実施の形態１．
以下に、本発明の実施の形態１に係る発電装置について、図面に基づいて説明する。図１は、本実施の形態１に係る発電装置の外箱を示す（ａ）平面図、（ｂ）側面図である。また、図２は、本実施の形態１に係る発電装置における外扉の下部の機構を説明する図である。なお、図中、同一、相当部分には同一符号を付している。
【００１２】
本実施の形態１に係る発電装置１は、外箱２の内部にエンジン、発電機、および制御盤（いずれも図示省略）が設置され、エンジンにより発電機を駆動して電力を発生する。エンジンは、重油、灯油、軽油等のエネルギー源により稼動され、エンジンに直結された発電機は、エンジンの回転エネルギーを電気エネルギーに変換する。制御盤は、原動機および発電機の運転、停止、及び遮断機の開閉等を制御するとともに、負荷変動に対して回転数（周波数）、電圧を一定に保つ等の制御を行う。
【００１３】
鋼板製の外箱２は、エンジンや発電機の騒音を減少させる防音（減音）の目的と、屋外設置の場合には雨水浸入防止の目的で設けられる。外箱２の１つの側面２ａには、点検用扉である内扉３と外扉５が設けられ、他の側面には点検用扉以外の例えば通気窓８が設けられる。ただし、扉や窓の数および配置は、図１に限定されるものではない。図１では、２組の内扉３と外扉５を設けているが、１組または３組以上であっても良い。
【００１４】
内扉３の下部には、内扉用レール部４に沿って内扉３を横方向にスライドさせるローラー機構（図示省略）が設けられる。また、内扉３には、防音のための吸音材が貼られる。この内扉３の外側に設けられた外扉５は、外扉用下レール部６に沿って横方向にスライドする。外扉５は、外扉用下レール部６と外扉用上レール部７によって挟持されている。ただし、外扉用下レール部６と外扉用上レール部７の間隔Ｈ１よりも、外扉５の縦方向の寸法Ｈ２を小さく設定し、所定の隙間を有するようにしている。
【００１５】
また、図２に示すように、外扉５の下部に永久磁石５１が設けられると共に、これに対向する外扉用下レール部６に電磁装置６１が設けられ、外扉５をスライドさせる際に、電磁装置６１により発生する磁力と永久磁石５１の磁力の反発力により外扉５を浮上させる。図１（ｂ）中、矢印Ａは、電源スイッチ１０が閉（オン）の時、電磁装置６１の電磁反発力により外扉５が浮上する方向を示している。
【００１６】
電磁装置６１の電源は、発電装置１のエンジン始動用蓄電池と兼用の蓄電池９である。電磁装置６１の電源スイッチ１０は、外箱２の側面２ａに設置された外部スイッチ１１により開閉を制御される。
【００１７】
外扉５の下部の機構と電磁装置６１の動作ついて、図２および図３を用いて説明する。図２中、矢印Ｂは、永久磁石５１と電磁装置６１の電磁作用による反発力を示している。電源スイッチ１０を閉にすると、蓄電池９からの電流は銅線１２を介して電磁装置６１の本体を構成する鉄心６２に流れ、鉄心６２は電磁石となる。これにより、図３中、矢印Ｃで示す方向に電磁反発力が発生する。
【００１８】
電磁装置６１の発生する磁力と、外扉５の下部に埋め込まれた永久磁石５１の磁力の反発力Ｂにより、外扉５は所定の距離ｘだけ浮上する。距離ｘは、図１に示す外扉用下レール部６と外扉用上レール部７の間隔Ｈ１と、外扉５の縦方向の寸法Ｈ２の差よりも小さくなるように設定される。これにより、浮上した外扉５が外扉５の上部と対向する外扉用上レール部７と接触せず、外扉５のスライドが容易になる。
【００１９】
一方、外扉５を固定させたい場合には、電源スイッチ１０を開にし、電磁装置６１を停止する。これにより、電磁作用による反発力Ｂが消滅して外扉５が外扉用下レール部６の上に乗り、その自重により固定される。なお、外扉５の下部と外扉用下レール部６に、滑りを良くするためのフッ素コーティング等のコーティングを施しても良い。
【００２０】
本実施の形態１の比較例として、従来の発電装置における外開き扉を図４に示す。従来の発電装置の外箱２０には、ヒンジ２１を支点に開閉する外開き扉２２が取り付けられ、点検時等には、図４中、Ｌで示すメンテナンススペースが必要であり、その分を見込んだ設置スペースが必要であった。また、点検時には、外開き扉２２は外側に開いた状態であるため、図４中、矢印Ｄで示す外気の流れを受け、ヒンジ２１や過開き防止ストッパー２３が破損することがあった。
【００２１】
このような従来の外開き扉２２の持つ課題に対し、本実施の形態１では、内扉３と外扉５を横方向にスライドするので、発電装置１周囲のメンテナンススペースを最小化することができる。また、内扉３は、スライドが容易なローラー機構を備えており、外扉５により外部と遮断されているため、ローラー機構への異物の噛み込みや外部環境による劣化が殆ど無い。さらに、内扉３に吸音材を貼ることにより、発電装置１の扉部の防音性能を確保することができる。
【００２２】
また、外扉５をスライドさせる際に、電磁反発力により外扉５を浮上させるようにしたので、外扉５のスライドが容易であり、保守点検時に扉のスライドに要する労力が低減される。また、外扉５には、ローラー機構等の機械的回転動作部がないため、異物噛み込み等による故障の可能性が低い。
【００２３】
以上のように、本実施の形態１によれば、従来の外開き扉２２に比べて設置スペースが小さく、扉開放時の外気の影響による扉部品の破損が起こらず、且つ扉の開閉が容易な外箱２を有する発電装置１を得ることができる。なお、本発明は、その発明の範囲内において、実施の形態を適宜、変形、省略することが可能である。
【産業上の利用可能性】
【００２４】
本発明は、発電装置の外箱の扉構造として利用することができる。
【符号の説明】
【００２５】
１  発電装置、２、２０  外箱、２ａ  側面、３  内扉、４  内扉用レール部、
５  外扉、６  外扉用下レール部、７  外扉用上レール部、８  通気窓、９  蓄電池、
１０  電源スイッチ、１１  外部スイッチ、１２  銅線、２１  ヒンジ、
２２  外開き扉、２３  過開き防止ストッパー、５１  永久磁石、６１  電磁装置、
６２  鉄心。
【図２】
2015206310.tif 000003
【図３】
2015206310.tif 000004
【図４】
2015206310.tif 000005
【図１】
2015206310.tif 000006